【手続補正書】
【提出日】令和2年11月12日(2020.11.12)
【手続補正１】
【補正対象書類名】特許請求の範囲
【補正対象項目名】全文
【補正方法】変更
【補正の内容】
【特許請求の範囲】
【請求項１】
オーディオデバイスの少なくとも１つのセンサにより検出された音を示す信号を受信する段階であって、前記オーディオデバイスは、耳介を少なくとも部分的に覆っており、検出された前記音は、少なくとも身体の胴と相互作用する、受信する段階と、
前記オーディオデバイスが前記耳介を少なくとも部分的に覆っている間に、検出された前記音の空間的位置特定が容易になるよう、非線形伝達関数で前記信号を変調して、１つまたは複数のオーディオキューを示す変調信号を生成する段階と、
検出された前記音の音タイプを判定する段階と、
前記変調信号を、前記オーディオデバイスによって出力されるオーディオを示す信号と混合する段階であって、前記変調信号は、判定された前記音タイプに基づいて前記混合において重み付けされる、段階と、
前記オーディオデバイスが、混合された前記変調信号を出力する段階と
を備える方法。
【請求項２】
前記オーディオデバイスにおける少なくとも１つのセンサにより検出された音を示す前記信号を受信する段階は、前記オーディオデバイスにおける少なくとも１つのマイクにより検出された前記音を示す前記信号を受信する段階を含む、請求項１に記載の方法。
【請求項３】
前記少なくとも１つのマイクは、前記耳介と反対の方向に向けられる、請求項２に記載の方法。
【請求項４】
前記１つまたは複数のオーディオキューは、検出された前記音と関連付けられる音源の仰角、方位角、距離および速度のうちの１つまたは複数に基づいている、請求項１から３のいずれか一項に記載の方法。
【請求項５】
前記非線形伝達関数で前記信号を変調する段階は、検出された前記音が発せられている方向を決定する段階と、前記方向と関連付けられる前記非線形伝達関数の１つまたは複数の波形を特定する段階とを含む、請求項１から４のいずれか一項に記載の方法。
【請求項６】
前記耳介の周波数応答を他方の耳介の複数の他の周波数応答と比較する段階であって、前記他方の耳介の各周波数応答が、対応する非線形伝達関数と関連付けられる、比較する段階と、
前記比較に基づいて、前記他方の耳介の前記複数の他の周波数応答のうち、前記周波数応答に最も近い１つを決定する段階と、
前記非線形伝達関数を、前記複数の他の周波数応答のうちの前記１つと関連付けられる前記対応する非線形伝達関数として特定する段階と
を更に備える、請求項１から５のいずれか一項に記載の方法。
【請求項７】
メモリに記憶され、かつ、プロセッサにより実行可能である、プログラムであって、前記プログラムは、
オーディオデバイスの少なくとも１つのセンサにより検出された音を示す信号を受信することであって、前記オーディオデバイスは、耳介を少なくとも部分的に覆っており、検出された前記音は、少なくとも身体の胴と相互作用する、受信することと、
前記オーディオデバイスが前記耳介を少なくとも部分的に覆っている間に、検出された前記音の空間的位置特定が容易になるよう、非線形伝達関数で前記信号を変調して、１つまたは複数のオーディオキューを示す変調信号を生成することと、
検出された前記音の音タイプを判定することと、
前記変調信号を、前記オーディオデバイスによって出力されるオーディオを示す信号と混合することであって、前記変調信号は、判定された前記音タイプに基づいて前記混合において重み付けされる、混合することと、
前記オーディオデバイスが、混合された前記変調信号を出力することと
を行うためのものである、プログラム。
【請求項８】
前記オーディオデバイスにおける少なくとも１つのセンサにより検出された音を示す前記信号を受信するための前記プログラムは、前記オーディオデバイスにおける少なくとも１つのマイクにより検出された前記音を示す前記信号を受信することを含む、請求項７に記載のプログラム。
【請求項９】
前記少なくとも１つのマイクは、前記耳介と反対の方向に向けられる、請求項８に記載のプログラム。
【請求項１０】
前記１つまたは複数のオーディオキューは、検出された前記音と関連付けられる音源の仰角、方位角、距離および速度のうちの１つまたは複数に基づいている、請求項７から９のいずれか一項に記載のプログラム。
【請求項１１】
前記非線形伝達関数で前記信号を変調するための前記プログラムは、検出された前記音が発せられている方向を決定することと、前記方向と関連付けられる前記非線形伝達関数の１つまたは複数の波形を特定することとを含む、請求項７から１０のいずれか一項に記載のプログラム。
【請求項１２】
前記プログラムは更に、
前記耳介の周波数応答を他方の耳介の複数の他の周波数応答と比較することであって、前記他方の耳介の各周波数応答が、対応する非線形伝達関数と関連付けられる、比較することと、
前記比較に基づいて、前記他方の耳介の前記複数の他の周波数応答のうち、前記周波数応答に最も近い１つを決定することと、
前記非線形伝達関数を、前記複数の他の周波数応答のうち、前記周波数応答に最も近い前記１つと関連付けられる前記対応する非線形伝達関数として特定することと
を含む、請求項７から１１のいずれか一項に記載のプログラム。
【請求項１３】
オーディオデバイスと、
メモリに記憶され、かつ、プロセッサにより実行可能である、コンピュータ命令と
を備えるシステムであって、前記コンピュータ命令は、
前記オーディオデバイスの少なくとも１つのセンサにより検出された音を示す信号を受信する機能であって、前記オーディオデバイスは、耳介を少なくとも部分的に覆っており、検出された前記音は、少なくとも身体の胴と相互作用する、受信する機能と、
前記オーディオデバイスが前記耳介を少なくとも部分的に覆っている間に、検出された前記音の空間的位置特定が容易になるよう、前記音の方向に基づいて選択された非線形伝達関数で前記信号を変調して、１つまたは複数のオーディオキューを示す変調信号を生成する機能と、
検出された前記音の音タイプを判定する機能と、
前記変調信号を、前記オーディオデバイスによって出力されるオーディオを示す信号と混合する機能であって、前記変調信号は、判定された前記音タイプに基づいて前記混合において重み付けされる、機能と、
前記オーディオデバイスが、混合された前記変調信号を出力する機能と
を実行するためのものである、システム。
【請求項１４】
メモリに記憶され、かつ、前記プロセッサにより実行可能である、前記非線形伝達関数で前記信号を変調するための前記コンピュータ命令は、検出された前記音が発せられている方向を決定する機能と、前記方向と関連付けられる前記非線形伝達関数の１つまたは複数の波形を特定する機能とを含む、請求項１３に記載のシステム。
【請求項１５】
前記耳介の周波数応答を他方の耳介の複数の他の周波数応答と比較する機能であって、前記他方の耳介の各周波数応答が、対応する非線形伝達関数と関連付けられる、比較する機能と、
前記比較に基づいて、前記他方の耳介の前記複数の他の周波数応答のうち、前記周波数応答に最も近い１つを決定する機能と、
前記非線形伝達関数を、前記複数の他の周波数応答のうち、前記周波数応答に最も近い前記１つと関連付けられる前記対応する非線形伝達関数として特定する機能と
を実行するための、メモリに記憶され、かつ、前記プロセッサにより実行可能である、コンピュータ命令を更に備える、請求項１３または１４に記載のシステム。
【請求項１６】
前記１つまたは複数のオーディオキューは、検出された前記音と関連付けられる音源の仰角、距離、方位角および速度のうちの１つまたは複数を示す、請求項１３から１５のいずれか一項に記載のシステム。
【手続補正２】
【補正対象書類名】明細書
【補正対象項目名】発明の名称
【補正方法】変更
【補正の内容】
【発明の名称】空間的アンビエントアウェア型の個人用オーディオ供給デバイスに関する方法、プログラムおよびシステム